【事件の表示】
　特願２０１６−　４３３３８「観覧車、画像出力装置、及び画像出力方法」拒絶査定不服審判事件〔平成２９年　９月１４日出願公開、特開２０１７−１５８６１７、請求項の数（５）〕について、次のとおり審決する。
【結　論】
　原査定を取り消す。
　本願の発明は、特許すべきものとする。
【理　由】
第１　手続の経緯
　本願は、平成２８年３月７日の出願であって、平成３０年１１月２８日付けで拒絶の理由が通知され、平成３１年１月３１日に意見書及び手続補正書が提出されたが、同年２月２５日付けで拒絶査定（以下、「原査定」という。）がされ、これに対し、令和１年６月５日に拒絶査定不服審判の請求がなされると同時に手続補正書が提出され、令和２年６月１日付けで当審により拒絶の理由（以下、「当審拒絶理由」という。）が通知され、同年６月２４日に意見書及び手続補正書が提出されたものである。
第２　本願発明
　本願の請求項１ないし５に係る発明（以下、それぞれ「本願発明１」ないし「本願発明５」という。）は、令和２年６月２４日に提出された手続補正書により補正された特許請求の範囲の請求項１ないし５に記載された事項により特定される発明であり、以下のとおりの発明である。
「　【請求項１】
　外周に複数のゴンドラが配置され、予め設定された速度で回転する回転輪と、
　前記回転輪の少なくとも一方の面に平面の広がりをもって配置された複数の発光体と、
　前記回転輪の回転位置を判別する回転位置判別手段と、
　静止画像或いは動画像の少なくとも一方の平面の広がりをもつ画像が記録された画像データを取得する画像データ取得手段と、
　前記平面の広がりをもつ画像を構成する画素の位置情報を、前記回転輪の複数の異なる回転位置毎に、前記平面の広がりをもって配置された複数の発光体それぞれに割り当てたマッピング情報を、各マッピング情報が対応する回転位置に関連付けて複数記憶する記憶手段と、
　前記記憶手段が記憶する複数のマッピング情報のうち前記回転位置判別手段が判別した回転位置に関連付けられたマッピング情報と前記画像データとに基づいて前記複数の発光体を発光制御することにより、前記回転輪の前記複数の発光体が配置された面に前記平面の広がりをもつ画像を表示する発光制御手段と、
　を備え、
　前記記憶手段には、一定の回転角度毎の、少なくとも前記回転輪１回転分のマッピング情報が記憶されており、
　前記発光制御手段は、前記回転位置判別手段が判別した前記回転位置に基づいて、前記回転輪が一定角度回転する毎に、前記発光制御に使用するマッピング情報を現在の回転位置に関連付けられたマッピング情報に切り換えることで、前記回転輪の前記複数の発光体が配置された面に現在の回転位置に対応して前記平面の広がりをもつ画像を表示する、
　観覧車。
　　【請求項２】
　前記回転位置判別手段は、０．１°単位で前記回転輪の前記回転位置を判別可能であり、
　前記記憶手段には、０．１°毎の、前記回転輪１回転分のマッピング情報が記憶されており、
　前記発光制御手段は、前記回転位置判別手段が判別した前記回転位置に基づいて、前記回転輪が０．１°回転する毎に、前記発光制御に使用するマッピング情報を現在の回転位置に対応するマッピング情報に切り換える、
　請求項１に記載の観覧車。
　　【請求項３】
　前記回転輪の少なくとも一方の面に配置された複数の灯具を備え、
　前記発光体は前記灯具に配置されており、
　前記複数の灯具は、それぞれ、前記発光体を落雷から保護する雷サージ回路を備える、
　請求項１又は２に記載の観覧車。
　　【請求項４】
　外周に複数のゴンドラが配置され、予め設定された速度で回転する回転輪と、前記回転輪の少なくとも一方の面に平面の広がりをもって配置された複数の発光体と、を備える観覧車に画像を出力する画像出力装置であって、
　前記回転輪が一定角度回転する毎に回転位置を判別する回転位置判別手段と、
　静止画像或いは動画像の少なくとも一方の平面の広がりをもつ画像が記録された画像データを取得する画像データ取得手段と、
　前記平面の広がりをもつ画像を構成する画素の位置情報を、前記回転輪の複数の異なる回転位置毎に、前記平面の広がりをもって配置された複数の発光体それぞれに割り当てたマッピング情報を、各マッピング情報が対応する回転位置に関連付けて複数記憶する記憶手段と、
　前記記憶手段が記憶する複数のマッピング情報のうち前記回転位置判別手段が判別した回転位置に関連付けられたマッピング情報と前記画像データとに基づいて前記複数の発光体を発光制御することにより、前記回転輪の前記複数の発光体が配置された面に前記平面の広がりをもつ画像を表示する発光制御手段と、
　を備え、
　前記記憶手段には、一定の回転角度毎の、少なくとも前記回転輪１回転分のマッピング情報が記憶されており、
　前記発光制御手段は、前記回転位置判別手段が判別した前記回転位置に基づいて、前記回転輪が一定角度回転する毎に、前記発光制御に使用するマッピング情報を現在の回転位置に関連付けられたマッピング情報に切り換えることで、前記回転輪の前記複数の発光体が配置された面に現在の回転位置に対応して前記平面の広がりをもつ画像を表示する、
　画像出力装置。
　　【請求項５】
　外周に複数のゴンドラが配置され、予め設定された速度で回転する回転輪と、前記回転輪の少なくとも一方の面に平面の広がりをもって配置された複数の発光体と、を備える観覧車に画像を出力する方法であって、
　前記回転輪の回転位置を判別する回転位置判別ステップと、
　静止画像或いは動画像の少なくとも一方の平面の広がりをもつ画像が記録された画像データを取得する画像データ取得ステップと、
　前記平面の広がりをもつ画像を構成する画素の位置情報を、前記回転輪の複数の異なる回転位置毎に、前記平面の広がりをもって配置された複数の発光体それぞれに割り当てたマッピング情報を、各マッピング情報が対応する回転位置に関連付けて複数記憶する記憶手段であって、一定の回転角度毎の少なくとも前記回転輪１回転分のマッピング情報を記憶する前記記憶手段から、前記回転位置判別手段が判別した回転位置に関連付けられたマッピング情報を取得するマッピング情報取得ステップと、
　前記マッピング情報取得ステップで取得したマッピング情報と前記画像データとに基づいて前記複数の発光体を発光制御することにより、前記回転輪の前記複数の発光体が配置された面に前記平面の広がりをもつ画像を表示する発光制御ステップと、
　前記回転位置判別ステップで判別した前記回転位置に基づいて、前記回転輪が一定角度回転する毎に、前記発光制御に使用するマッピング情報を現在の回転位置に関連付けられたマッピング情報に切り換えるマッピング情報切換ステップと、を有し、
　前記発光制御ステップでは、前記マッピング情報切換ステップにおいてマッピング情報を切り換えることで、前記回転輪の前記複数の発光体が配置された面に現在の回転位置に対応して前記平面の広がりをもつ画像を表示する、
　画像出力方法。」
第３　原査定の拒絶の理由
　原査定の拒絶の理由は、この出願の請求項１ないし５に係る発明は、その出願前に日本国内又は外国において、頒布された次の引用文献１ないし３に記載された発明に基いて、その出願前にその発明の属する技術の分野における通常の知識を有する者が容易に発明をすることができたものであるから、特許法第２９条第２項の規定により特許を受けることができない、というものである。
引用文献１：特開２０１３−３７０８６号公報
引用文献２：特表２０１１−５２９２０４号公報
引用文献３：特開２００６−２８４７５４号公報
第４　引用文献、引用発明等
　１　引用文献１について
　（１）引用文献１には、次の事項が記載されている（なお、下線は当審が付したものである。また、改行を省略した箇所がある。以下同じである）。
　　ア　「【発明が解決しようとする課題】
【０００８】前記特許文献１のものは、これを見た人は花火模様は理解できるが、天気予報の表示は、カラー投光機による光の色彩の変化で表示され、また、気温は発光管の点灯長さ寸法を増減させて表示されているため、これらの決りごとを理解していない人には、単なる光又は光の模様にしか見えず、極めて表現力の乏しいものであった。その上、当該表示は観覧車の回転輪の回転に伴い回転するものであるため、複雑な表現ができないものであった。
【０００９】また、前記引用文献２のものは、カウントダウン表示と、イベント表示と花火模様の表示をするが、イベント表示と花火模様表示は、観覧車の回転に伴い回転するもので、特に、イベント表示は、傾斜していたり、逆さまに表示されると見にくくなる。また、カウントダウン表示は、略定位置に表示されると記載されているが、具体的にどのようにして定位置に表示されるのかの記載がない。
【００１０】また、前記特許文献３のものは、多数の発光ダイオードからなる面発光体は、回転輪に取着される場合と、回転輪の支持脚に取着される場合があるが、回転輪の場合は、回転輪の回転と共に、面発光体が回転し、これも見る人にとっては、見にくく、複雑な表示はできないものであった。
【００１１】そこで、この発明はこれらの従来技術を改善すべく、回転輪の一面を構成する枠体に沿って多数のLED素子を配設し、これらの回転輪の一面に配設した多数のLED素子の調光制御することによって静止画像又は動画像を表示し、かつ、これらの表示が回転輪が回転しても、一定の姿勢を維持することにより、複雑な表示でも見易い、理解し易い鮮明な画像表示を提供可能な観覧車の電飾装置を提供するものである。」
　　イ　「【００２７】図１に示すように、
観覧車Ａは支持脚１の上部で回転輪２を支持する。
中心に一体に設けた回転軸３
また、前記回転輪２の外周縁には間隔をあけて、乗客の乗る多数のゴンドラ４が吊り下げられている。そして、この回転輪２は適宜の駆動源によって回転する
【００２８】また、
回転輪２は前記回転軸３から、細長い略菱形形状の放射状枠体５が多数並べ設けられている
【００２９】そして、
前記細長い菱形形状の放射状枠体５の外面に、図３に示すように複数のLED灯具８が設けられている。これらのLED灯具８は
LED盤１０に接続されている
ＰＣ盤１１が回転輪２に設けられている
【００３０】前記LED灯具８を図４に示す。(ａ)図はその平面図、（ｂ）図は側面図、（ｃ）図は縦断面図である。この
LED灯具８は、細長いケース８ａ内に多数のLED素子８ｂが並べ設けられ、これらのLED素子８ｂは、赤色、緑色、青色の３種類があり、これらのLED素子８ｂを後述のように調光制御することによって多数種の色彩が表示されるものである
【００３１】また、このLED灯具８は、上半分に半透明なＰＣカバー８ｃが設けられ、前記多数のLED素子８ｂを被っている。この様にLED素子８ｂをＰＣカバー８ｃで被うことにより、LED素子８ｂの光を均一化している。また，LED灯具８端部から光が拡散して，表示する絵，文字，記号，模様等が不鮮明にならないように、LED灯具８の各端部は端カバー８eで夫々被われている。また、このLED灯具８と前記LED盤１０とを接続するリード線８ｄがケース８ａの一端から導出している。」
　　ウ　「【００３２】次に、
前記放射状枠体５の両側面に設けた多数のLED灯具８への静止画像又は動画像の伝送構成
【００３３】図５に示すように、観覧車Ａの外部に設けた、情報処理装置１５には、映像コンテンツ等の映像情報と、これらの各映像情報を識別する識別情報が関連付けられて記憶されている。そして情報処理装置１５は、ユーザによる映像情報の選択操作及び当該映像情報を表示させる時刻を示す時間情報の入力操作等を契機として、当該時間情報及び選択された映像情報を識別する識別情報を送出する構成となっている。
【００３４】この情報処理装置１５に接続された無線ＬＡＮ中継盤１６は、有線（ＬＡＮケーブル）を介して前記時間情報及び識別情報を受信すると、当該時間情報及び識別情報を、無線ＬＡＮ用アンテナ１７を介して、観覧車Ａの回転輪２に設けられた前記ＰＣ盤１１に送出する構成となっている。
【００３５】また、前記観覧車Ａの
回転輪２に設けられた前記ＰＣ盤１１内
前記情報処理装置１５に記憶されている映像情報と同じ映像情報が記憶されているスケジューラー用情報処理装置１９が設けられ
映像情報を呼び出して、ＤＶＩ信号の形式で映像変換用情報処理装置２０に出力する
【００３６】
この映像変換用情報処理装置２０には、回転センサ等の回転検出器２１が接続されている。この回転検出器２１は、回転輪２が基準点からどのくらい回転したか、つまり回転輪２と基準点との回転の差分（角度）を検出するものである。そして回転検出器２１は所定の角度、例えば、０．５度を検出する毎に映像変換用情報処理装置２０に検出信号を出力する
【００３７】
映像情報をＤＶＩ信号の形式で受信した映像変換用情報処理装置２０は、当該ＤＶＩ信号をＡＲＴＮＥＴ信号に変換し、各LED盤１０に分配して出力する。そして、映像変換用情報処理装置２０は、前記検出信号を受信した場合には、所定の角度分映像を、前記回転輪２の回転軸３を中心に逆方向に回転させて表示するように、映像情報を書き換えた上で、ＤＶＩ信号の形式からＡＲＴＮＥＴ信号の形式に変換して調光制御し、各LED盤１０に分配して出力する
【００３８】
前記ＡＲＴＮＥＴ信号の形式で受信したLED盤１０は当該ＡＲＴＮＥＴ信号をＤＭＸ信号に変換し、各LED灯具８に出力する。各LED灯具８は、受信したＤＭＸ信号に応じて点灯し、回転輪２の一面全体に配設されたLED灯具８で映像を表示する構成となっている
　　エ　【００３５】、【００３６】の記載を踏まえて図６を参照すると、図６からは、
ＰＣ盤１１内に、スケジューラー用情報処理装置１９と、映像変換用情報処理装置２０と、回転検出器２１とが設けられる
　（２）上記（１）に記載した事項より、引用文献１には、次の発明（以下、「引用発明」という。）が記載されているものと認められる。
「外周縁に間隔をあけて乗客の乗る多数のゴンドラ４が吊り下げられており、駆動源によって回転し、中心に一体に設けた回転軸３から細長い略菱形形状の放射状枠体５が多数並べ設けられている、回転輪２と、
　前記回転輪２の細長い菱形形状の放射状枠体５の外面に設けられるＬＥＤ盤１０に接続される複数のＬＥＤ灯具８であって、
　細長いケース８ａ内に多数のＬＥＤ素子８ｂが並べ設けられ、これらのＬＥＤ素子８ｂは、赤色、緑色、青色の３種類があり、これらのＬＥＤ素子８ｂを調光制御することによって多数種の色彩が表示される複数のＬＥＤ灯具８と、、
　回転輪２に設けられているＰＣ盤１１であって、映像情報が記憶されており、時間情報に基づいて，受信した識別情報に係る映像情報を呼び出して、ＤＶＩ信号の形式で映像変換用情報処理装置２０に出力するスケジューラー用情報処理装置１９と、当該ＤＶＩ信号をＡＲＴＮＥＴ信号に変換し、各ＬＥＤ盤１０に分配して出力する映像変換用情報処理装置２０と、映像変換用情報処理装置２０に接続され、回転輪２と基準点との回転の差分（角度）を検出し、所定の角度である０．５度を検出する毎に映像変換用情報処理装置２０に検出信号を出力する、回転検出器２１と、が設けられるＰＣ盤１１と、
を備え、
　前記ＡＲＴＮＥＴ信号を受信したＬＥＤ盤１０は当該ＡＲＴＮＥＴ信号をＤＭＸ信号に変換して各ＬＥＤ灯具８に出力し、各ＬＥＤ灯具８は、受信したＤＭＸ信号に応じて点灯することにより，回転輪２の一面全体に配設されたＬＥＤ灯具８で静止画像又は動画像からなる映像を表示する、
観覧車Ａであって、
　映像変換用情報処理装置２０は、前記検出信号を受信した場合には、所定の角度分映像を、前記回転輪２の回転軸３を中心に逆方向に回転させて表示するように、映像情報を書き換えた上で、ＤＶＩ信号の形式からＡＲＴＮＥＴ信号の形式に変換して調光制御し、各ＬＥＤ盤１０に分配して出力する、
観覧車。」
　２　引用文献２について
　（１）引用文献２には、次の事項が記載されている。
　ア　「【背景技術】【０００２】デジタル表示装置は、広告または他の情報が提示される画像または映像を表示するために使用される。例えば、デジタル表示装置は、大型屋外看板、掲示、ポスター、高速道路標識、およびスタジアム表示装置として使用することができる。液晶表示装置(LCD)またはプラズマの技術を使用するデジタル表示装置は、これらの技術に関連するガラスパネルの寸法限界のために、大きさが限定される。より大型の表示装置は通常、プリント回路基板(PCB)タイルからなる格子を備え、各タイルにはパッケージされた発光ダイオード(LED)が実装されている。LEDには空間が必要であるために、これらのディスプレイ装置の解像度は比較的粗い。また、各LEDが画像中の1画素に相当するため、大型の表示装置では高価にもなりうる。さらに、高温で破損するおそれのあるLEDが発生する熱を低下させるために、複雑な冷却システムが一般に使用される。そのようなことから、デジタル表示装置技術の改善が必要とされている。」
　イ　「【０００７】図1は、単一のパドルを有する複合表示装置100の一実施形態を示す。図示の例では、パドル102は、一方の端部で回転軸104の周りを60Hzなどの所与の周波数で回転するように構成される。パドル102は、1回転または1パドル周期の間に領域108を掃引する。LEDなど複数の画素素子がパドル102の上に取り付けられる。本明細書では、画素素子とは、画像情報の少なくとも一部分を表示するために使用できる任意の素子を指す。本明細書では、画像または画像情報には、画像、映像、アニメーション、スライドショー、または表示が可能な他の任意の視覚情報が含まれうる。他の画素素子の例には、レーザダイオード、蛍光体、陰極線管、液晶、任意の透過性または放射性の光変調器が含まれる。本明細書の例ではLEDが説明されることがあるが、任意の適切な画素素子を使用することができる。以下でより完全に説明するように、様々な実施形態において、LEDはパドル102の上に様々な方法で配置することができる。
【０００８】
パドル102が領域108を掃引するとき、パドルの1つまたは複数のLEDが適切な時間に駆動され、その結果、掃引される領域108を見ているビューアが画像またはその一部分を知覚するようになる
パドル102が十分に速く回転している場合、眼は連続的な画像を知覚する。
【０００９】そのようなことから、パドル102上の各LEDを使用して、画像中の複数の画素を表示することができる。画像中の単一の画素が、複合表示装置100の表示領域内の少なくとも1つの「時間画素」にマップされる。以下でより完全に説明するように、時間画素は、パドル102上の画素素子および時間(またはパドルの角度位置)によって定義することができる。
【００１０】
画像または映像を見せるための表示領域は、任意の形状にすることができる。例えば、最大表示領域は円形で、掃引領域108と同じである
　ウ　「【００２６】図4Cは、マスクを使用する複合表示装置430の一実施形態を示す図である。この例では、マスクとしても画素素子の構造物としても機能する回転ディスクに画素素子が取り付けられる。
ディスク432は、円形のパドルと見ることができる。図示の例では、ディスク432(実線)は、一方の端部で回転軸434の周りを60Hzなどの所与の周波数で回転するように構成される。LEDなど複数の画素素子がディスク432の上に取り付けられる。ディスク432は、1回転または1ディスク周期の間に領域436(太い破線)を掃引する
【００２７】この例では、
画素素子は、ディスク432および438の上のどこにでも取り付けることができる。
【００２８】ディスク432は、ディスク438上の画素素子からの光をマスキングして掃引領域436の中に漏れないようにする。様々な実施形態で、ディスク432および/または438は、様々な材料から作製され、様々な色を有することができる。例えば、ディスク432および438は、LEDが上に取り付けられる黒色のプリント基板とすることができる。
【００２９】画像または映像を見せるための表示領域は、任意の形状にすることができる。掃引される領域436と442が合体すると最大表示領域になる。長方形の画像または映像は、図示の長方形表示領域444内に表示することができる。
【００３０】領域436と442は、重なり部分439で重なる。この例では、ディスク432は、重なり部分439または遮断領域439で掃引領域442を遮断する。
【００３１】いくつかの実施形態で、画素素子は、それが遮断されているときには駆動されないように構成される。例えば、ディスク438上に取り付けられた画素素子は、それが遮断されている(例えば、遮断領域439と重なり合う)とき、駆動されないように構成される。いくつかの実施形態では、画素素子は、遮断領域の部分で駆動されないように構成される。例えば、遮断領域439の縁からある特定の距離内の領域は、駆動されないように構成される。こうすることは、ビューアが表示領域の中心の左側または右側にいて、遮断領域の縁の部分を見ることができる場合に望ましいことがある。」
　エ　「【００３２】図5は、画像を表示するシステムの一実施形態を示すブロック図である。図示の例では、パドルのパネル502は、1つまたは複数のパドルを備える構造物である。以下でより完全に説明するように、パドルのパネル502は、様々な大きさ、長さおよび幅のパドル、中間点または端点の周りを回転するパドル、同じ掃引面内または別々の掃引面内で回転するパドル、互いに位相が合ったまたは位相がずれた状態で回転するパドル、複数のアームを有するパドル、ならびに他の形状を有するパドルを含みうる、複数のパドルを含むことができる。パドルのパネル502は、すべてが同一のパドル、または様々な異なるパドルを含むことができる。パドルは、格子として、または他の任意の配置として配列することができる。いくつかの実施形態で、パネルは角度検出器506を含み、これは、1つまたは複数のパドルと関連付けられた角度を検出するために使用される。いくつかの実施形態では、パドルのパネル502上のパドルごとに角度検出器がある。例えば、あるパドルの近くに、その現在の角度を検出するための光検出器を装着することができる。
【００３３】
LED制御モジュール504は、角度検出器506からの現在の角度情報(例えば、角度(1つまたは複数)、または角度(1つまたは複数)と関連付けられた情報)を任意選択で受け取るように構成される。LED制御モジュール504は、その現在の角度を用いて、パドルのパネル502へ送出するLED制御データを決定する
LED制御モジュール504は、画素マップ508を用いてLED制御データを決定する。
【００３４】いくつかの実施形態で、画素マップ508は、以下で完全に説明するように、ルックアップテーブルを用いて実施される。別々の画像に対して、別々のルックアップテーブルが用いられる。画素マップ508については、以下でより完全に説明する。」
　オ　「【００３８】図6Aは、2つのパドルを有する複合表示装置600の一実施形態を示す図である。図示の例では、領域608および616のそれぞれの上に極座標系が示されており、原点が回転軸604および614それぞれに置かれている。いくつかの実施で、パドル602および612上の各LEDの位置は、極座標で記録される。原点からLEDまでの距離は半径rである。パドル角はθである。例えば、パドル602が3時の位置にある場合、パドル602上のそれぞれのLEDは0度のところにある。パドル602が12時の位置にある場合、パドル602上のそれぞれのLEDは90度のところにある。いくつかの実施形態で、各パドルの現在の角度を検出するための角度検出器が使用される。いくつかの実施形態で、
ある時間画素はP、rおよびθで定義され、ここでPはパドル識別子、(r、θ)はLEDの極座標である
【００３９】直交座標系が、表示されるべき画像610の上に示されている。この例では、原点は画像610の中心に置かれているが、実施に応じてどこに置いてもよい。いくつかの実施形態では、
画像610中の各画素を表示領域608および616内の1つまたは複数の時間画素にマップすることによって、画素マップ508が作成される
【００４０】図6Bは、画素マップを生成する処理の一実施形態を示す流れ図である。例えば、この処理を用いて画素マップ508を作成することができる。622で、時間画素マッピングに対する画像画素を得る。いくつかの実施形態では、領域608および616(それらの2つの時間画素(r、θ)の極格子を有する、例えば図2B参照)の上に画像610(画像の解像度に対応するその画素(x、y)の直交格子を有する)を重ね合わせることによって、マッピングが実行される。
画像画素(x、y)ごとに、どの時間画素がその画像画素内にあるかが決定される。
【００４１】【表１】
【００４２】前述のように、1つの画像画素を複数の時間画素に第2行で示されたようにマップすることができる。いくつかの実施形態では、
rの代わりに、LEDに対応する指標が使用される
【００４３】
624で、表示されるべき画像に基づいて画像画素ごとに強度fを読み込む
fは、LEDがオン(例えば1)であるべきかオフ(例えば0)であるべきかを示す
【００４４】例えば、fが読み込まれた後、表は以下のようになる。
【００４５】【表２】
」
　カ　「【００５０】例えば、図5で、
LED制御モジュール504は、画素マップからの時間画素情報(P、r、θおよびf)を使用する。LED制御モジュール504は、入力としてθを取り込み、LED制御データP、rおよびfを出力する。パドルのパネル502は、このLED制御データを使用して、そのセクタ時間の間LEDを駆動する。
【００５１】任意の画像(映像を含む)データをLED制御モジュール504に入力することができる。様々な実施形態で、1つまたは複数の622、624および626を生またはリアルタイムで、すなわち画像を表示する直前に計算することができる。これは、スタジオの生映像などの画像の生放送で有効である。例えば、いくつかの実施形態では、622は事前計算され、624は生またはリアルタイムで計算される。いくつかの実施形態では、626は、画素マップを適切に修正することによって622の前に実行することができる。いくつかの実施形態では、
622,624
はすべて事前計算される
　キ　図４Ｃは、以下のとおりのものである。
　（２）上記（１）に記載した事項より、引用文献２には、次の技術的事項が記載されているものと認められる。
「円形のパドルと見ることができ、所与の周波数で回転するように構成され、複数のＬＥＤがその上に取り付けられ、複数のＬＥＤをその上のどこにでも取り付けることができる、ディスク４３２が、1回転の間に領域を掃引し、パドルが十分に速く回転している場合、眼は連続的な画像を知覚し、掃引される領域を見ているビューアが画像を知覚するようになり、画像を見せるための表示領域は掃引領域と同じであり、
　表示されるべき画像の各画像画素（ｘ、ｙ）が、各時間画素（Ｐ、ｒ、θ）及び各強度（ｆ）に対応付けられた画素マップであって、Ｐはパドル識別子、(ｒ、θ)はＬＥＤの極座標であり、rの代わりにＬＥＤに対応する指標が使用され、fは、表示されるべき画像に基づいて読み込まれた、ＬＥＤがオンであるべきかオフであるべきかを示すものである、画素マップが、事前計算され、
　ＬＥＤ制御モジュール５０４は、ディスク４３２と関連付けられた角度を検出する角度検出器５０６から現在の角度情報を受け取るように構成され、その現在の角度を用いて、入力としてθを取り込み、画素マップを用いて、ＬＥＤ制御データＰ、ｒおよびｆを出力し、パドルのパネルは、このＬＥＤ制御データを使用して、ＬＥＤを駆動する、技術。」
　３　引用文献３について
　引用文献３には、次の記載がある。
「【００１７】　次に、照明装置１１の電気回路を図５に基づいて説明する。
【００１８】　図５において、電源入力端子１９，２０には、AC１００Vの商用電源が接続され、電源供給ラインには、回路保護用及び災害防止用のヒューズ２１と、誘導雷回避用のサージアブソーバ２２が設けられている。サージアブソーバ２２の出力側には、交流を直流に変換する整流回路２３が接続されている。整流回路２３は、AC１００VをDC約１４０Vに変換する。整流回路２３の出力側には、突入電流を抑制しヒューズ２１の溶断を防止するためのパワーサーミスタ２４と、平滑用コンデンサ２５が設けられている。」
第５　対比・判断
　１　本願発明１について
　（１）対比
　　本願発明１と引用発明とを対比すると、次のことがいえる。
　　ア　引用発明の「多数のゴンドラ４」は、本願発明１の「複数のゴンドラ」に相当する。
　　イ　引用発明の「回転輪２」は、「駆動源によって回転」するものであるところ、観覧車の回転輪２が駆動源により回転する速度が予め設定された速度であることは、観覧車の技術分野の技術常識からみて明らかであるから、本願発明１の「予め設定された速度で回転する回転輪」に相当する。
　　ウ　引用発明の「複数のＬＥＤ灯具８」は、「回転輪２の一面全体に配設された」ものであり、「細長いケース８ａ内に多数のＬＥＤ素子８ｂが並び設けられ」るものであるため、回転輪２の一面に平面の広がりをもって配置された複数の発光体といえるから、本願発明１の「前記回転輪の少なくとも一方の面に平面の広がりをもって配置された複数の発光体」に相当する。
　　エ　引用発明の「回転輪２と基準点との回転の差分（角度）」は、本願発明１の「回転輪の回転位置」に相当する。そして、引用発明の「回転検出器２１」は、「回転輪２と基準点との回転の差分（角度）」を検出するものであるから、本願発明１の「前記回転輪の回転位置を判別する回転位置判別手段」に相当する。
　　オ　引用発明の「静止画像又は動画像からなる映像」は、「回転輪２の一面全体に配設されたＬＥＤ灯具８」により表示されるものであることから、平面の広がりをもつ画像であるといえるため、本願発明１の「静止画像或いは動画像の少なくとも一方の平面の広がりをもつ画像」に相当する。
　　カ　引用発明の「映像情報」は、それが変換された信号であるＤＭＸ信号に応じて各ＬＥＤ灯具８が点灯することで「静止画像又は動画像からなる映像」を表示するものであるから、本願発明１の「静止画像或いは動画像の少なくとも一方の平面の広がりをもつ画像が記録された画像データ」に相当する。
　　キ　引用発明の「映像変換用情報処理装置２０」は、スケジューラー用情報処理装置１９から「映像情報」が変換された信号であるＤＶＩ信号の出力を受けるものであるから、本願発明１の「静止画像或いは動画像の少なくとも一方の平面の広がりをもつ画像が記録された画像データを取得する画像データ取得手段」に相当する。
　　ク　引用発明の「映像変換用情報処理装置２０」は、「ＬＥＤ灯具８」に、「映像信号」を「ＬＥＤ盤１０」を介して出力し、「複数のＬＥＤ灯具８」を受信した映像信号に応じて「点灯」させて、「回転輪２の一面全体に配設されたＬＥＤ灯具８」により「静止画像又は動画像からなる映像を表示」せしめるものであるから、「映像信号」に基づいて「複数のＬＥＤ灯具８」を発光制御することにより、回転輪２における全体に複数の灯具８が配置された一面に「静止画像又は動画像からなる映像」を表示しているといえるため、本願発明１の「前記画像データに基づいて前記複数の発光体を発光制御することにより、前記回転輪の前記複数の発光体が配置された面に前記平面の広がりをもつ画像を表示する発光制御手段」に相当する。
　　ケ　引用発明の「映像変換用情報処理装置２０」は、「回転輪２と基準点との回転の差分（角度）」を検出する「回転検出器２１」が「所定の角度」を検出する毎に出力する「検出信号」を受信した場合に、「（映像信号を）ＤＶＩ信号の形式からＡＲＴＮＥＴ信号の形式に変換して調光制御し、各ＬＥＤ盤１０に分配して出力する」ものであるから、（回転輪２の一面全体に配設された複数のＬＥＤ灯具８により表示される静止画像又は動画像からなる）映像を表示するタイミングは、回転輪２が所定の角度回転する毎であるといえるため、本願発明１の「発光制御手段」と「前記回転輪が一定角度回転する毎に」前記回転輪の前記複数の発光体が配置された面に前記平面の広がりをもつ画像を表示するものである点においても一致する。
　　コ　引用発明の「映像変換用情報処理装置２０」は、「回転輪２と基準点との回転の差分（角度）」を検出する「回転検出器２１」が「所定の角度」を検出する毎に出力する「検出信号」を受信した場合に、「所定の角度分映像を、前記回転輪２の回転軸３を中心に逆方向に回転させて表示するように、映像情報を書き換えた上で」出力するものであるから、回転輪２が所定の角度回転する毎に表示する映像は回転輪２と基準点との回転の差分（角度）に依らず常に同じ方向を向くことになるため、本願発明１の「発光制御手段」と「現在の回転位置に対応して」前記平面の広がりをもつ画像を表示するものである点においても一致する。
　したがって、本願発明１と引用発明との間には、次の一致点、相違点があるといえる。
＜一致点＞
「外周に複数のゴンドラが配置され、予め設定された速度で回転する回転輪と、
　前記回転輪の少なくとも一方の面に平面の広がりをもって配置された複数の発光体と、
　前記回転輪の回転位置を判別する回転位置判別手段と、
　静止画像或いは動画像の少なくとも一方の平面の広がりをもつ画像が記録された画像データを取得する画像データ取得手段と、
　前記画像データに基づいて前記複数の発光体を発光制御することにより、前記回転輪の前記複数の発光体が配置された面に前記平面の広がりをもつ画像を表示する発光制御手段と、
　を備え、
　前記発光制御手段は、前記回転輪が一定角度回転する毎に、前記回転輪の前記複数の発光体が配置された面に現在の回転位置に対応して前記平面の広がりをもつ画像を表示する、
　観覧車。」
＜相違点＞
　本願発明１は、「前記平面の広がりをもつ画像を構成する画素の位置情報を、前記回転輪の複数の異なる回転位置毎に、前記平面の広がりをもって配置された複数の発光体それぞれに割り当てたマッピング情報」を、「一定の回転角度毎の、少なくとも前記回転輪１回転分」、「各マッピング情報が対応する回転位置に関連付けて複数記憶」しておいて、「回転輪が一定角度回転する毎に、前記発光制御に使用するマッピング情報を現在の回転位置に関連付けられたマッピング情報に切り換えることで」「現在の回転位置に対応して」「平面の広がりのある画像」を表示するのに対し、引用発明は、「マッピング情報」に相当する情報を記憶しておくことなく、回転輪２が所定の角度回転する毎に、所定の角度分映像を逆方向に回転させて表示するように映像情報を書き換えて、現在の回転位置に対応した「静止画像又は動画像からなる映像」を表示する点。
　（２）相違点についての判断
　　ア（ア）引用文献２に記載された技術的事項における「画素マップ」は、「表示されるべき画像の各画像画素（ｘ、ｙ）が、各時間画素（Ｐ、ｒ、θ）及び各強度（ｆ）に対応付けられた」ものであって、「Ｐはパドル識別子、(ｒ、θ)はＬＥＤの極座標であり、rの代わりにＬＥＤに対応する指標が使用され、ｆは、表示されるべき画像に基づいて読み込まれた、ＬＥＤがオンであるべきかオフであるべきかを示すもの」であるから、上記相違点に係る本願発明１の発明特定事項の「前記平面の広がりをもつ画像を構成する画素の位置情報を、前記回転輪の複数の異なる回転位置毎に、前記平面の広がりをもって配置された複数の発光体それぞれに割り当てたマッピング情報」に相当する。
　　（イ）また、引用文献２に記載された技術的事項における「画素マップ」は「事前計算」されるものであるところ、事前計算された「画素マップ」が何らかの記憶手段に記憶されることは明らかであるため、引用文献２に記載された技術的事項は、上記相違点に係る本願発明１の「各マッピング情報が対応する回転位置に関連付けて複数記憶する記憶手段」に相当する構成を有するものと認められる。
　　（ウ）さらに、引用文献２に記載された技術的事項は、「（角度検出器５０６から受け取った）現在の角度を用いて、入力としてθを取り込み、画素マップを用いて、ＬＥＤ制御データＰ、ｒおよびｆを出力し、パドルのパネルは、このＬＥＤ制御データを使用して、ＬＥＤを駆動する」ことから、上記相違点に係る本願発明１の「一定角度回転する毎に、前記発光制御に使用するマッピング情報を現在の回転位置に関連付けられたマッピング情報に切り換えることで」「平面の広がりのある画像」を表示するとの事項に相当する構成を有するともいえる。
　　イ　しかしながら、本願発明１における「現在の回転位置に対応して前記平面の広がりをもつ画像を表示する」こととは、観覧車の回転輪に設けられた複数の発光体により平面の広がりのある画像を表示するにあたって、平面の広がりをもつ画像が回転輪の回転に伴って回転することのないようにすることであるのに対し、引用文献２に記載された技術的事項は、複数のＬＥＤが設けられたディスク４３２を高速で回転させることで残像により画像を表示するもので、画像が回転輪の回転に伴って回転することのないようにするものでないため、「現在の回転位置に対応して前記平面の広がりをもつ画像を表示する」ものとはいえない。してみれば、回転輪の「現在の回転位置に対応して平面の広がりのある画像を表示」するものであるとの前提を欠く引用文献２に記載の技術的事項を、当該前提を有する引用発明に適用することには、動機付けがないといわざるをえない。
　　ウ　そして、上記イで説示した点を差し措いて、画像を表示する手法にかかる前提は違えども、引用発明と引用文献２に記載の技術的事項が、いずれも、見る人にとって画像を一定の向きで表示しようというものであるとして、引用発明における、画像を一定の向きで表示する手段である、「所定の角度分映像を、前記回転輪２の回転軸３を中心に逆方向に回転させて表示するように、映像情報を書き換え」ることを、引用文献２に記載の技術的事項に基づいて、各ＬＥＤのオンオフを、回転輪の現在の角度を入力として、画像画素と角度が対応付けられた事前計算された画素マップを用いて決めることに替えようとすることには、（ア）引用発明が、回転輪が回転すると、回転輪に取り付けた複数の発光体により表示される画像が回転してしまい、見る人にとって見にくいという課題を、画像を回転輪の回転方向と逆方向に回転することで既に解決したものであることや、（イ）引用文献２に記載された技術事項においては、ディスク４３２を眼が連続的な画像を近くする程度の所与の周波数（【００１０】の記載によれば６０Ｈｚ程度）で回転するものであるところ、当業者であれば、そのような高速回転のために、演算量の抑制のために事前計算される画素マップが必要とされることを理解でき、低速で回転する観覧車の回転輪において引用文献２に記載の技術的事項において必要とされるような演算量の削減が必要とは考えないことに照らせば、引用文献２に記載された技術的事項が備える、上記相違点に係る本願発明１の「一定角度回転する毎に、前記発光制御に使用するマッピング情報を現在の回転位置に関連付けられたマッピング情報に切り換えることで」「平面の広がりのある画像」を表示することに相当する構成を、引用発明に適用することには、動機付けが存在しないというべきである。
　エ　したがって、引用発明と、引用文献２に記載の技術事項に基づいて、上記相違点に係る本願発明１の発明特定事項に相当する構成とすることが、当業者が容易に想到し得たことということはできない。
　オ　また、引用文献３には、照明装置１１の電気回路の電源供給ラインに、誘導雷回避用のサージアブソーバを設けることが記載されるにすぎず、上記相違点に係る判断に影響を与えるものではない。
　カ　したがって、本願発明１は、引用発明、引用文献２に記載の技術的事項、引用文献３に基づいて、当業者が容易に発明をすることができたものであるとはいえない。
　２　本願発明２、３について
　本願発明２、３は、本願発明１にさらに発明特定事項を追加した発明であるから、上記相違点に係る本願発明１の発明特定事項に相当する構成を有するものといえるため、本願発明１と同じ理由により、引用発明１、引用文献２に記載の技術的事項、引用文献３に基づいて、当業者が容易に発明をできたものとはいえない。
　３　本願発明４、５について
　本願発明４、５も、上記相違点に係る本願発明１の発明特定事項に相当する構成を有するものであるから、本願発明１と同じ理由により、引用発明１、引用文献２に記載の技術的事項、引用文献３に基づいて、当業者が容易に発明をできたものとはいえない。
第６　当審拒絶理由について
　当審では、請求項１、４及び５の「前記平面の広がりをもつ画像を構成する画素の位置情報を、前記回転輪の複数の異なる回転位置毎に、前記平面の広がりをもって配置された複数の発光体それぞれに割り当てた複数のマッピング情報を、各マッピング情報が対応する回転位置に関連付けて記憶する記憶手段」との記載からは、マッピング情報が、回転位置毎に複数あるのか、あるいは、各回転位置に対応するマッピング情報が、回転位置が複数あることに対応して複数あるのかが、不明であるとの拒絶の理由を通知したが、令和２年６月２４日に提出された手続補正書により補正された特許請求の範囲の請求項１、４、５においては、「前記平面の広がりをもつ画像を構成する画素の位置情報を、前記回転輪の複数の異なる回転位置毎に、前記平面の広がりをもって配置された複数の発光体それぞれに割り当てたマッピング情報を、各マッピング情報が対応する回転位置に関連付けて複数記憶する記憶手段」と補正され、各回転位置に対応するマッピング情報が、回転位置が複数あることに対応して複数あることが明らかとなったため、この拒絶の理由は解消した。
第７　むすび
　以上のとおり、本願発明１ないし５は、当業者が引用発明、引用文献２に記載された技術的事項、引用文献３に基づいて、容易に発明をすることができたものでない。
　したがって、原査定の理由によっては、本願を拒絶することはできない。
　また、他に本願を拒絶すべき理由を発見しない。
　よって、結論のとおり審決する。